【手続補正書】
【提出日】平成16年1月7日(2004.1.7)
【手続補正１】
【補正対象書類名】明細書
【補正対象項目名】特許請求の範囲
【補正方法】変更
【補正の内容】
【特許請求の範囲】
【請求項１】
ひとつまたは複数の電気機器の消費電力を測定し監視するひとつまたは複数の監視手段と、前記監視手段からの報知信号を受信し報知する報知手段とからなり、前記監視手段は前記各消費電力あるいは合計量が所定値を超えると前記報知手段に報知信号を送信するとともにひとつまたは複数の電気機器の電源供給をオフする消費電力監視システム。
【請求項２】
リモコン手段からの制御信号を受信してひとつまたは複数の電気機器への電源供給のオンオフ制御を行ない、かつ前記電気機器の消費電力を測定し前記リモコン手段にモニタ信号を送信する監視手段と、前記モニタ信号を受信し、かつオンオフの制御信号を前記監視手段に送信するリモコン手段とからなり、前記リモコン手段は新たに電気機器の電源供給のオンさせるときにオンとなる電気機器の消費電力の合計量を推定し、所定値を超えない場合にオンの制御信号を前記監視手段に送信する消費電力監視システム。
【請求項３】
リモコン手段は消費電力の合計量が所定値を超えるときは監視手段にオフの制御信号を送信し接続されたひとつまたは複数の電気機器の電源供給をオフした後に所望の電気機器の電源供給をオンさせる制御信号を送信する請求項２記載の消費電力監視システム。
【請求項４】
通信回線や電波を通じて電力供給者からの電力情報を受信し使用者に伝える連絡手段と、ひとつまたは複数の電気機器の消費電力を測定し記録してモニタ信号を送信するひとつまたは複数の監視手段と、前記監視手段からのモニタ信号を受信して通信回線を通じてセンター装置に消費電力を伝える通信手段とからなり、前記センター装置は前記電力情報を伝えた時間と内容とに応じて前記消費電力の使用料金の算出方法を変更する消費電力監視システム。
【請求項５】
連絡手段は電力情報を監視手段に送信する送信手段を備え、監視手段は前記電力情報を受信する受信手段を備え電力情報の有無や内容にあわせて消費電力を記録する請求項４記載の消費電力監視システム。
【請求項６】
センター装置は連絡手段によって電力供給能力に余裕がないことを伝えてから消費した電力について電力使用料金を高く算出する請求項４記載の消費電力監視システム。
【請求項７】
通信回線や電波を通じて電力供給者からの電力情報を受信してリモコン手段に伝える連絡手段と、前記リモコン手段からの制御信号を受信してひとつまたは複数の電気機器への電源供給のオンオフ制御を行なう制御手段とからなり、前記リモコン手段は前記連絡手段からの電力情報を受信して前記制御手段に制御信号を送信しひとつまたは複数の電気機器への電源供給のオンオフ制御を行なう消費電力監視システム。
【請求項８】
リモコン手段は連絡手段によって電力供給能力に余裕がないことを受信したときにひとつまたは複数の電気機器の電源供給をオフする請求項７記載の消費電力監視システム。
【請求項９】
複数の電気機器においてあらかじめ電源供給をオフする順番を設定し、リモコン手段または監視手段は前記順番に従って電気機器の電源供給をオフする請求項１、３または７記載の消費電力監視システム。
【請求項１０】
請求項１から９のいずれか１項に記載の消費電力監視システムの機能をコンピュータに実現させるプログラムを記録した記録媒体。
【手続補正２】
【補正対象書類名】明細書
【補正対象項目名】００１１
【補正方法】変更
【補正の内容】
【００１１】
【課題を解決するための手段】
本発明は上記課題を解決するために、ひとつまたは複数の電気機器の消費電力を測定して無線または電力線搬送によって報知信号を送信する監視手段と、ひとつまたは複数の監視手段からの報知信号を受信して報知する報知手段とからなり、監視手段は各電気機器の消費電力あるいは合計量が所定値を超えると報知手段に報知信号を送信するものである。そして、監視手段は消費電力の測定対象であるひとつまたは複数の電気機器への電源供給のオンオフ制御を行ない、前記電気機器の消費電力あるいは合計量が所定値を超えるときはひとつまたは複数の電気機器の電源供給をオフするものである。
【手続補正３】
【補正対象書類名】明細書
【補正対象項目名】００１２
【補正方法】変更
【補正の内容】
【００１２】
上記発明によれば、監視手段は接続された各電気機器の消費電力あるいは合計量を監視して所定値を超えると報知手段に報知信号を送信して報知するので、電気機器の過大な消費電力という異常動作を監視することができる。またコンセントなどから所定値以上の電力を取り出したときに報知するので、許容電力を超えるような複数の電気機器の同時使用を監視することができる。そして、監視手段は接続された各電気機器の消費電力あるいは合計量を監視して所定値を超えると電源供給をオフするので、電気機器の過大な消費電力時に動作停止になり安全である。またコンセントなどから所定値以上の電力を取り出したときに電源オフするので安心して複数の電気機器を同時に使用することができる。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
【発明の実施の形態】
監視手段は消費電力の測定対象であるひとつまたは複数の電気機器への電源供給のオンオフ制御を行ない、各電気機器の消費電力あるいは合計量が所定値を超えるときはひとつまたは複数の電気機器の電源供給をオフするものである。そして、監視手段は接続された各電気機器の消費電力あるいは合計量を監視して所定値を超えると電源供給をオフするので、電気機器の過大な消費電力時に動作停止になり安全である。またコンセントなどから所定値以上の電力を取り出したときに電源オフするので安心して複数の電気機器を同時に使用することができる。


【手続補正９】
【補正対象書類名】明細書
【補正対象項目名】００１９
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】
【手続補正１５】
【補正対象書類名】明細書
【補正対象項目名】００７０
【補正方法】削除
【補正の内容】
【手続補正１６】
【補正対象書類名】明細書
【補正対象項目名】００７１
【補正方法】削除
【補正の内容】
【手続補正１７】
【補正対象書類名】明細書
【補正対象項目名】００７２
【補正方法】削除
【補正の内容】
【手続補正１８】
【補正対象書類名】明細書
【補正対象項目名】００７５
【補正方法】削除
【補正の内容】
【手続補正１９】
【補正対象書類名】明細書
【補正対象項目名】００８２
【補正方法】削除
【補正の内容】
【手続補正２０】
【補正対象書類名】明細書
【補正対象項目名】００８３
【補正方法】削除
【補正の内容】
【手続補正２１】
【補正対象書類名】明細書
【補正対象項目名】００８４
【補正方法】削除
【補正の内容】
【手続補正２２】
【補正対象書類名】明細書
【補正対象項目名】００８５
【補正方法】削除
【補正の内容】